(57)【特許請求の範囲】
【請求項１】
シート状物品を内部に収納する卓上容器であって、
前記シート状物品を取出す開口が形成され上端が下端より後退する傾斜面をなす前面壁と、
前記前面壁に対向し上端が下端より後退する傾斜面をなす背面壁と、
前記前面壁及び前記背面壁の下端にそれぞれ接する底面壁と
を有し、これらの前記前面壁、前記背面壁、及び前記底面壁はそれぞれ隣接部分で接続されている卓上シート収納容器。
【請求項２】
前記底面壁は、前記卓上容器の転倒を防止する錘を備えている請求項１記載の卓上シート収納容器。
【請求項３】
前記底面壁の上面は、前記前面壁側から前記背面壁側に向かって下方に傾斜している請求項１又は２記載の卓上シート収納容器。
【請求項４】
前記開口の縁部の一部が開口内側へ向かって膨出してくびれ部を形成し、前記開口は前記くびれ部を介して連通する第１の開口と該第１の開口より小さい第２の開口とに分けられ、前記第１の開口から突出した前記シート状物品が前記くびれ部を乗り越えて前記第２の開口の近傍に係止可能である請求項１〜３のいずれかに記載の卓上シート収納容器。
【請求項５】
前記底面壁の上面と底面との間に前記前面壁側に開口する小物収納用の内部空間を有し、
前記前面壁における前記内部空間に対向する位置に小物収納用開口又は開閉蓋が形成されている請求項１〜４のいずれかに記載の卓上シート収納容器。
【発明の詳細な説明】
【技術分野】
【０００１】
本発明は、家庭用、産業用又は業務用で使用されるペーパーナプキン、ティッシュペーパー等のシート状物品の卓上収納容器に関する。
【背景技術】
【０００２】
複数枚のペーパーナプキン（シート）をＶ字折りやＺ字折りして交互に折り込み、ポップアップ可能に構成したシート状物品が知られている。そして、埃や不快虫等の混入を防止するため、シート状物品を収納したディスペンサー（容器）が飲食店やホテル等の種々の場所に設置されている。
【０００３】
従来、この種のディスペンサーとして、押圧板によりディスペンサー内部のペーパータオルを取出口に向かって押出すようにした技術が開示されている（特許文献１参照）。又、容器の底部を傾斜させ、傾斜表面に積み重ねたシートが容器の前部へ向かって滑り落ちるようにした技術が開示されている（特許文献２参照）。
【０００４】
【特許文献１】実公昭41-6464号公報
【特許文献２】特開2006-143254号公報
【特許文献３】特開2003-12052号公報
【発明の開示】
【発明が解決しようとする課題】
【０００５】
しかしながら、従来のディスペンサーは比較的大型で壁面等のやや高い位置に固定して使用するものが多く、例えば洗面台等に載置して使用することがあまり想定されていない。従って、これらのディスペンサーを洗面台に載置した場合、取出し口が低すぎてシートが取出し難くなったり、シート取出し時の抵抗が高くなるとディスペンサーが転倒する等の問題が生じるおそれがある。又、固定式のディスペンサーの場合、ディスペンサーの設置場所の変更が容易でないという問題がある。
すなわち、本発明は、洗面台等の低い位置に載置してもシートを容易に取り出せるとともに容器の転倒を防止し、設置場所の変更が容易な卓上シート収納容器の提供を目的とする。
【課題を解決するための手段】
【０００６】
上記課題を解決するため、本発明の卓上シート収納容器は、シート状物品を内部に収納し、前記シート状物品を取出す開口が形成され上端が下端より後退する傾斜面をなす前面壁と、前記前面壁に対向し上端が下端より後退する傾斜面をなす背面壁と、前記前面壁及び前記背面壁の下端にそれぞれ接する底面壁とを有し、これらの前記前面壁、前記背面壁、及び前記底面壁はそれぞれ隣接部分で接続されている。
このような構成とすると、前面壁及び背面壁の上端が下端より後退する傾斜面をなし、卓上容器全体の重心が後方に位置するため、シートを前方へ引き出した際に卓上容器が前方へ転倒することが防止される。又、上記した傾斜面により、前面壁に形成された開口が上側に向くため、シートを上方に引出し易くなり、卓上容器が使用者の手元付近に設置された場合等に都合がよい。
【０００７】
前記底面壁は、前記卓上容器の転倒を防止する錘を備えていることが好ましい。
このような構成とすると、卓上容器の転倒防止効果がさらに向上する。
【０００８】
前記底面壁の上面は、前記前面壁側から前記背面壁側に向かって下方に傾斜していることが好ましい。
このような構成とすると、シート状物品が自重で背面壁側に落ちることで、シート状物品と前面壁との間に隙間が生じ、シート状物品を取出し易くすると共に、複数のシートを誤って取出したり、シートが前面壁より前方に飛び出し過ぎることを防止する。
【０００９】
前記開口の縁部の一部が開口内側へ向かって膨出してくびれ部を形成し、前記開口は前記くびれ部を介して連通する第１の開口と該第１の開口より小さい第２の開口とに分けられ、前記第１の開口から突出した前記シート状物品が前記くびれ部を乗り越えて前記第２の開口の近傍に係止可能であることが好ましい。
このような構成とすると、第１の開口より小径な第２の開口縁部にシートが拘束されて保持されるため、シートが突出し過ぎて邪魔になったりシートが落下するのを防止する。特に、使用につれてシートが少なくなると、シート状物品全体が軽くなりシートが落下し易くなるため、シートを保持することが有効となる。
【００１０】
前記底面壁の上面と底面との間に前記前面壁側に開口する小物収納用の内部空間を有し、前記前面壁における前記内部空間に対向する位置に小物収納用開口又は開閉蓋が形成されていることが好ましい。
このような構成とすると、使用者側の前面に小物（例えば爪楊枝、店舗案内冊子等）を収納することができ、利便性が向上する。
【発明の効果】
【００１１】
この発明によれば、洗面台等の低い位置に載置してもシートを容易に取り出せるとともに容器の転倒を防止することができ、様々な場所に容器を設置することができる。
【発明を実施するための最良の形態】
【００１２】
以下、本発明の実施形態について説明する。
図１は、本発明の第１の実施形態に係る卓上シート収納容器の斜視図を示す。卓上シート収納容器は概ね箱型をなし、前面壁２と、前面壁２に対向する背面壁６と、前面壁２及び背面壁６の下端にそれぞれ接する底面壁８と、左側面壁１０ａ、１０ｂと、上面壁１２ａ、１２ｂと、左側面壁と対向する図示しない右側面壁とを有する。左側面壁及び右側面壁はそれぞれ前面壁２、背面壁６、及び底面壁８に接し、上面壁１２ａ、１２ｂは前面壁２、背面壁６、並びに左側面壁及び右側面壁に接し、これらの６つの壁で囲まれた内部にシート状物品が収納されている。
シート状物品は、例えば複数枚のシートを交互に折り込んでポップアップ可能に構成され、このシート積層体をプラスチックフィルム等で包装したものであってもよい。シート状物品としては、特に限定されないが、例えばペーパーナプキン、ティッシュペーパー、紙タオル、掃除用シート等を用いることができる。
【００１３】
前面壁２は、その上端２ａが下端２ｂより後退する湾曲した傾斜面をなしている。又、前面壁２の中央よりやや上方にはシート状物品を取出す開口４が形成され、開口４からシート状物品のうち１枚のシート１００ａが表出し、ポップアップ式に取出し可能となっている。
前面壁２と同様、背面壁６は、その上端が下端より後退する湾曲した傾斜面をなしている。なお、この実施形態では、前面壁２と背面壁６との傾斜の度合（曲率）はほぼ同一であるがこれに限定されるものではない。
左側面壁は、その前部１０ｂと後部１０ａとの間で分割され、同様に上面壁は、その前部１２ｂと後部１２ａとの間で分割され、後部１０ａと後部１２ａとに接続された背面壁６を収納容器に対し開閉可能とし、シート状物品を補充できるようになっている。なお、右側面壁も左側面壁と同様に分割されている。
【００１４】
図２は、図１のI-I線（卓上シート収納容器の前面壁２から背面壁６へ向かう線）に沿う断面図を示す。図２において、左側面壁の後部１０ａの下端には前面壁２に向かって延びるアーム１６が形成されている（右側面壁の後部も同様）。アーム１６の先端は、左側面壁の前部１０ｂの下端隅部（右側面壁の前部も同様）に軸支され、軸３０を中心に左側面壁の後部１０ａが回動可能になっている。そして、この回動に伴い、左側面壁の後部１０ａ（及び右側面壁の後部）に接続された背面壁６が卓上シート収納容器に対して下方に開き、収納容器内にシート状物品１００を補充可能になっている。
背面壁６の上縁には上面壁の後部１２ａが接続され、後部１２ａの前縁には鉤爪型のロック１８ａが形成されている。又、上面壁の前部１２ｂの後縁のうち、後部１２ａの先端に対応する位置にはロック１８ａの鉤爪を引っ掛ける凹部１８ｂが形成されている。そして、背面壁６を上方に閉めて卓上シート収納容器を閉塞する蓋として機能させる際、ロック１８ａが凹部１８ｂに係止され、背面壁６が固定されるようになっている。
【００１５】
底面壁８は上面８ａと底面８ｂとを有し、背面壁６を開いた際、底面壁８のうち左側面壁の後部１０ａ（右側面壁の後部も同様）より後方の部分が突出するようになっている。又、底面壁の上面８ａは、前面壁２側から背面壁６側に向かって下方に傾斜し、シート状物品１００が自重で背面壁６側に落ちることで、シート状物品１００と前面壁２との間に隙間が生じ、シート状物品を取出し易くすると共に、複数のシートを誤って取出したり、シートが前面壁２より前方に飛び出し過ぎることを防止する。
なお、このようにシート状物品１００と前面壁２との間に隙間を生じさせる観点から、本発明においてはシート状物品を前方に押圧する付勢手段を用いないことが好ましい。
【００１６】
底面壁８の後側の内部（上面８ａと底面８ｂとの間の空間）には錘３２が収容され、卓上シート収納容器の転倒を防止するようになっている。さらに、底面壁８の上面８ａと底面８ｂとの間に、前面壁２側に開口する小物収納用の内部空間８ｃが形成されると共に、前面壁２における内部空間８ｃに対向する位置に小物収納用開閉蓋２０が形成され、小物の収納が可能になっている。
【００１７】
本発明においては、前面壁及び背面壁の上端が下端より後退する傾斜面をなし、卓上容器全体の重心が後方に位置するため、シートを前方へ引き出した際に卓上容器が前方へ転倒することが防止される。特に、壁面等に固定されない卓上容器において、転倒を防止することは重要である。又、上記した傾斜面により、前面壁に形成された開口が上側に向くため、シートを上方に引出し易くなり、卓上容器が使用者の手元付近に設置された場合等に都合がよい。
【００１８】
図３（ａ）は、前面壁２の開口４を示す部分拡大図である。図３（ａ）において、開口４の縁部のうち、開口を介して対向する２箇所の部分が開口内側へ向かってそれぞれ膨出してくびれ部４０，４０を形成し、くびれ部４０，４０の間隔は他の部分より狭くなっている。開口４は、くびれ部４０，４０を介して連通する第１の開口４ａと、第１の開口より小さい第２の開口４ｂとに分けられている。そして、第１の開口４ａからシートを引出し、ポップアップ式に次のシートが突出した時点で、シートをくびれ部４０，４０を乗り越えて第２の開口４ｂの近傍に係止させることで、シートが突出し過ぎて邪魔になったりシートが落下するのを防止する。特に、使用につれてシートが少なくなると、シート状物品１００全体が軽くなるため、前方に倒れてシートが落下し易くなる。
ここで、第２の開口４ｂが第１の開口４ａより小径であるため、シートは第２の開口４ｂに縁部に拘束されて係止される。
【００１９】
図３（ｂ）は、前面壁の開口の別の態様を示す部分拡大図である。図３（ｂ）において、開口４ｘの上側の縁部のうち、開口を介して対向する２箇所の部分が開口内側へ向かってそれぞれ膨出してくびれ部４１，４１を形成している。同様に、開口４ｘの下側の縁部のうち、開口を介して対向する２箇所の部分が開口内側へ向かってそれぞれ膨出してくびれ部４２，４２を形成している。そして、開口４ｘのうち、上側くびれ部４１，４１と下側くびれ部４２，４２との間の部分が第１の開口４ａを形成し、上側くびれ部４１，４１より上の部分が第２の開口４ｂを形成し、下側くびれ部４２，４２より下の部分が別の第２の開口４ｂを形成している。又、各第２の開口４ｂは、いずれも第１の開口４ａより小径である。この実施形態では、２個の第２の開口４ｂのどちらかにシートを係止するかを使用勝手に応じて選択できるという利点がある。
【００２０】
図４は、本発明の第２の実施形態に係る卓上シート収納容器の斜視図を示す。この卓上シート収納容器は、前面壁２ｘと、背面壁６ｘと、底面壁８ｘと、左側面壁１０ｘと、左側面壁と対向する図示しない右側面壁と、上面壁１２ｘとを備え、これらの壁はそれぞれ隣接部分で接続されて箱を形成している。前面壁２ｘには図３（ｂ）に示した開口４ｘが形成されている。
第２の実施形態においては、上面壁１２ｘは枠状をなし、上面壁１２ｘの枠内を閉塞するように上蓋１４が設けられている点が第１の実施形態と異なる。そして、上蓋１４を開閉することにより、収納容器内にシート状物品を補充可能になっている。
【００２１】
図５は、本発明の第３の実施形態に係る卓上シート収納容器の斜視図を示す。この卓上シート収納容器は、前面壁２ｙと、背面壁６ｙと、底面壁８ｙと、左側面壁１０ｙと、左側面壁と対向する図示しない右側面壁と、上面壁１２ｙとを備え、これらの壁はそれぞれ隣接部分で接続されて箱を形成している。前面壁２ｙには単一の円形の開口４ｘが形成されるとともに、第１の実施形態と同様な小物収納用開閉蓋２０が形成されている。
第３の実施形態においては、前面壁２ｙと背面壁６ｙとが湾曲せずに平板状の傾斜面を有する点が第１の実施形態と異なる。第３の実施形態においては、例えば底面壁８ｙが蓋をなし、底面壁８ｙを開閉することにより、収納容器内にシート状物品を補充可能になっている。
【００２２】
本発明の卓上シート収納容器は、例えばプラスチック、金属等の材料から製造することができるが、これらに限られず、異なる種類の材料を組み合わせてもよい。
【００２３】
本発明は上記実施形態に限定されない。例えば、本発明の卓上シート収納容器の容器の形状は箱型に限定されないし、容器にシート状物品を補充するための機構も特に限定されず、例えば容器を構成するいずれかの壁を蓋状に開閉する機構を設けたり、容器がいずれかの位置で分割できるように構成すればよい。又、本発明の卓上シート収納容器は、少なくとも前面壁、背面壁、底面壁を有していればよく、その他の部分の壁が形成されていなくてもよい。例えば、シート状物品の補充を容易にするため、一方の側面壁を無くして開口部を設けてもよい。
前面壁に形成する開口の個数、形状も限定されず、さらに、開口に開閉可能な蓋を設けることで、ウェットティッシュや薬液を浸透させた掃除用シート等の湿潤性シート物品の収納容器とすることもできる。
【図面の簡単な説明】
【００２４】
【図１】本発明の実施形態に係る卓上シート収納容器の斜視図である。
【図２】図１のI-I線に沿う断面図である。
【図３】開口を示す部分拡大図である。
【図４】本発明の別の実施形態に係る卓上シート収納容器の斜視図である。
【図５】本発明のさらに別の実施形態に係る卓上シート収納容器の斜視図である。
【符号の説明】
【００２５】
２、２ｘ、２ｙ                    前面壁
２ａ                              前面壁の上端
２ｂ                              前面壁の下端
４、４ｘ、４ｙ２ｙ                開口
６、６ｘ、６ｙ                    背面壁
８、８ｘ、８ｙ                    底面壁
１０ａ、１０ｂ、１０ｘ、１０ｙ    左側面壁
１２ａ、１２ｂ、１２ｘ、１２ｙ    上面壁
１００                            シート状物品
１００ａ                          （シート状物品の）１枚のシート
【図１】
0005108398.tif 000002
【図２】
0005108398.tif 000003
【図３】
0005108398.tif 000004
【図４】
0005108398.tif 000005
【図５】
0005108398.tif 000006